(57)【要約】【課題】  カメラ装置に固定されるコントローラにおいて、操作部内部に無線通信ユニットを内蔵して操作性を損なうことのない、安定した無線通信をすることができるコンパクトなフォーカスコントローラーを提供すること。【解決手段】  レンズ装置とカメラ装置とを含む撮影装置の、該カメラ装置に固定され、該レンズ装置の可動光学ユニットに対する信号を無線通信するコントローラは、該カメラ装置に固定可能な固定部と、該固定部に対して回転する操作手段と、該操作手段の前記固定部に対する回転位置を検出する回転位置検出手段と、該回転位置検出手段によって検出された位置情報を該レンズ装置と無線通信する無線通信手段と、を有し、該無線通信手段は、該操作手段の回転位置に依らず、所定の方向に指向性を有するアンテナを有する。【選択図】  図１
2013222176.tif 000002
【特許請求の範囲】
【請求項１】
レンズ装置とカメラ装置とを含む撮影装置の、該カメラ装置に固定され、該レンズ装置の可動光学ユニットに対する信号を無線通信するコントローラであって、
該カメラ装置に固定可能な固定部と、
該固定部に対して回転する操作手段と、
該操作手段の前記固定部に対する回転位置を検出する回転位置検出手段と、
該回転位置検出手段によって検出された位置情報を該レンズ装置と無線通信する無線通信手段と、
を有し、
該無線通信手段は、該操作手段の回転位置に依らず、所定の方向に指向性を有するアンテナを有する、
ことを特徴とするコントローラ。
【請求項２】
前記操作手段の回転軸が前記撮影装置の光軸を含む平面に対して垂直となるように、前記固定部は該カメラ装置の側部に固定することを特徴とする請求項１記載のコントローラ。
【請求項３】
前記アンテナは、前記操作手段に固定された複数のアンテナであり、
該操作手段の回転位置に応じて無線通信に使用するアンテナを切り替える切替機構と、
を有することを特徴とする請求項１または２に記載のコントローラ。
【請求項４】
前記切替機構は、前記複数のアンテナそれぞれに接続する独立した接点と、前記操作手段の所定の回転角度の範囲にのみ前記固定部に設置されたスリップリングを有し、
該接点は、該接点が該所定の回転角度の範囲にある場合にのみ、該スリップリングと接触する、ことを特徴とする請求項３に記載のコントローラ。
【請求項５】
前記アンテナは前記固定部に設置される、ことを特徴とする請求項１または２に記載のコントローラ。
【請求項６】
前記アンテナは、前記操作手段の回転軸を中心とした所定の回転角度の範囲に設置される、ことを特徴とする請求項５に記載のコントローラ。
【請求項７】
前記アンテナは、前記固定部の、前記カメラ装置と反対側に設置される、ことを特徴とする請求項５に記載のコントローラ。
【請求項８】
前記固定部に設置されたスイッチを有し、該スイッチの状態に基づく情報を前記無線通信手段によって前記レンズ装置と無線通信する、ことを特徴とする請求項１乃至７のいずれか１項に記載のコントローラ。
【請求項９】
前記アンテナは非金属材料のカバーでカバーされている、ことを特徴とする請求項１乃至８のいずれか１項に記載のコントローラ。
【請求項１０】
前記無線通信手段はデジタル方式で無線通信する、ことを特徴とする請求項１乃至９のいずれか１項に記載のコントローラ。
【請求項１１】
前記可動光学ユニットはフォーカスユニットであることを特徴とする、請求項１乃至１０のいずれか１項に記載のコントローラ。
【請求項１２】
前記可動光学ユニットはフォーカスユニットであり、前記スイッチはオートフォーカス機能の有効と無効を切り替えるスイッチである、ことを特徴とする、請求項８に記載のコントローラ。
【請求項１３】
請求項１乃至１２のいずれか１項に記載のコントローラを有する撮影装置。
【発明の詳細な説明】
【技術分野】
【０００１】
本発明は、レンズ装置のコントローラ及びそれを有する撮影装置に関し、特に、カメラ本体に取り付けられて使用され、レンズ装置の可動光学部材を操作するコントローラに関するものである。
【背景技術】
【０００２】
従来、放送用テレビカメラのフォーカスコントロール装置には、カメラ本体の側面にフォーカスコントローラー操作部を固定し、コントローラ検出部を直接カメラ装置に接続するものがある。
【０００３】
図６に従来のシステムを示す。三脚３９にはレンズ装置４０、大型カメラ（カメラ装置）４１が固定され、大型カメラ４１の右側面にフォーカスコントローラー操作部４２が取り付けられている。
そしてフォーカスのコントロール信号は、大型カメラ４１の内部を経由して配線された通信線によって、レンズ装置に送信されるようになっている。
カメラマン４３は、右手で大型カメラ４１の側面（側部）に固定されたフォーカスコントローラー４２を、左手でパン棒４４に取り付けられたズームコントローラー（不図示）を操作する。それとともに、カメラマン４３は、左右の手をそれぞれのコントローラに置いた状態を維持したまま、カメラ装置を上下左右に動かす操作を行う。
【０００４】
特許文献１は、１軸２操作方式でレンズ装置のズーム、フォーカスを行う操作装置において、オートフォーカスとマニュアルフォーカスを切り替える操作信号を無線で行うことを開示している。
【０００５】
特許文献２は、無線信号出力アンテナと無線操作装置本体とをアンテナの向きを自由に変えられるフレキシブルな部材で接続し、信号の送出方向を可変できる撮影用の機器が開示されている。
【先行技術文献】
【特許文献】
【０００６】
【特許文献１】特開２００６−０７１９０１号公報
【特許文献２】特開２００５−２１７９９５号公報
【発明の概要】
【発明が解決しようとする課題】
【０００７】
しかしながら、上述の特許文献１に開示された従来技術では、アンテナ部がフォーカス操作によって回転するので、オートフォーカスとマニュアルフォーカスを切り替えるスイッチを押すタイミングによって送信アンテナの位置が変化する。そのため、安定して操作信号を無線通信で送信することができない。
【０００８】
特許文献２に開示された従来技術では、送信アンテナの向きを変える手段が手動になるため、回転する操作部への取付けでは、合わせた送信アンテナの向きが変化してしまい、安定した操作信号を無線通信で送信することができない。
【０００９】
そこで、本発明の目的は、カメラ装置の側面（側部）に固定して使用されるレンズ装置の可動光学要素のコントローラにおいて、操作部を大型化することなく操作部内部に安定した電波を送信することが可能な無線送信ユニットを内蔵し、かつ操作性を損なうことなく、良好で安定した無線通信状態を維持することができるコントローラ及び当該コントローラを有する撮影装置を提供することである。
【課題を解決するための手段】
【００１０】
上記目的を達成するために、本発明のコントローラは、レンズ装置とカメラ装置とを含む撮影装置の、該カメラ装置に固定され、該レンズ装置の可動光学ユニットに対する信号を無線通信するコントローラであって、該カメラ装置に固定可能な固定部と、該固定部に対して回転する操作手段と、該操作手段の前記固定部に対する回転位置を検出する回転位置検出手段と、該回転位置検出手段によって検出された位置情報を該レンズ装置と無線通信する無線通信手段と、を有し、該無線通信手段は、該操作手段の回転位置に依らず、所定の方向に指向性を有するアンテナを有する、ことを特徴とする。
【発明の効果】
【００１１】
本発明によれば、カメラ装置の側面（側部）に固定して使用されるレンズ装置の可動光学要素のコントローラにおいて、操作部を大型化することなく、かつ操作性を損なうことなく、良好で安定した無線通信状態を維持することができるコントローラ及び当該コントローラを有する撮影装置を提供することができる。
【図面の簡単な説明】
【００１２】
【図１】本発明の実施例１のフォーカスコントローラーの断面図。
【図２】本発明の実施例２のフォーカスコントローラーの断面図。
【図３】本発明の実施例２のフォーカスコントローラーの図２のＡ−Ａ断面図。
【図４】本発明の実施例３であるフォーカスコントローラーの断面図。
【図５】本発明の実施例４であるフォーカスコントローラーの断面図。
【図６】従来の撮影システムの外観図。
【発明を実施するための形態】
【００１３】
以下に、本発明の好ましい実施の形態を、添付の図面に基づいて詳細に説明する。図１は、本発明の実施例１であるフォーカスコントローラーの断面図である。
【実施例１】
【００１４】
以下、図１を参照して、本発明の第１の実施例による、無線通信ユニットが内蔵されたフォーカスコントローラーについて説明する。本実施例のフォーカスコントローラーは、レンズ装置とカメラ装置を含む撮影装置のカメラ装置に固定され、レンズ装置の可動光学ユニットであるフォーカスユニットの駆動に関する信号（レンズ装置の可動光学ユニットに対する信号）を無線通信する。
【００１５】
フォーカスコントローラーは、カメラ本体１に固定可能なフォーカス操作部固定台２等の固定部と、固定部に対して回転可能な操作手段（操作ノブ６、グリップ７等）とから構成されている。本実施例のフォーカスコントローラーは、その固定部であるフォーカス操作部固定台２を固定ビス３でカメラ本体１に固定することによって、カメラ本体１の側部に固定されている。操作ノブ６の回転軸は、撮影装置の光軸を含む平面に対して垂直となるように、フォーカスコントローラーのフォーカス操作部固定台２がカメラ装置の側部に固定されている。
【００１６】
フォーカスコントローラーは、非金属材のグリップ７が被さるように固定された操作手段である操作ノブ６を有する。グリップ７（操作ノブ６）をオペレータが握って、フォーカス操作部固定台２に対して回転することでフォーカス操作を行う。操作ノブ６の外周には、半径方向外側に向けて突出する形態で操作ピン８が所定の間隔で設置され、カメラマンは操作ピン８に指をかけてフォーカス操作をすることも可能である。フォーカス操作部固定台２側に設置されたフォーカス指標ピン６は、フォーカス指標の基準として使用される。
【００１７】
フォーカスコントローラーの、フォーカス操作部固定台２に対して回転可能な操作ノブ６と、カメラ本体１側に固定されたフォーカス操作部固定台２に形成された渦巻状の回転溝２ａとの間には、回転ボール１３が挟持される。回転溝２ａの範囲内で回転ボールが転動することで、操作ノブ６の回転範囲が制限されている。フォーカス操作部固定台２に螺合する固定ナット１２、トルク調整ナット１１によって、摺動ワッシャ１０、ウェーブワッシャ９は操作ノブ６を押圧することにより、操作ノブ６は回転ボール１３側に付勢されている。トルク調整ナット１１によって、ウェーブワッシャ９の潰し量を決定し、操作ノブ６の回転トルクが決められる。
【００１８】
フォーカスの操作ノブ６の回転位置に関する位置情報は、回転位置検出手段であるエンコーダー１４によって検出される。エンコーダー１４は、ナット１６でエンコーダー固定板１５に固定され、さらに、エンコーダー固定板１５は固定ビス１７でフォーカス操作部固定台２に固定されている。
【００１９】
エンコーダー１４には、エンコーダーギア１８が固定キー１９によって固定されている。エンコーダーギア１８は、アイドラギア軸２０を軸とするアイドラギア２１と係合し、アイドラギア２１は、操作ノブ６にきられた内歯６ａと係合する。この構成により、操作ノブ６の回転が、内歯６ａ、アイドラギア２１を介してエンコーダーギア１８に伝達され、エンコーダー１４は、操作ノブ６の回転位置に応じたフォーカス回転位置信号を出力する。
【００２０】
制御基板２２は、エンコーダー１４から出力された信号の制御や電源の供給などを行う制御基板であり、固定支柱２３を介してフォーカス操作部固定台２に取り付けられている。エンコーダー１４で検出された操作ノブ６の位置情報に関するフォーカス回転位置信号は、アンテナ２４からレンズ装置内にある無線受信部（不図示）へ送信される。アンテナ２４は、操作ノブ６が回動自在に取り付けられているフォーカス操作部固定台２の、カメラ本体１とは反対側（反カメラ装置側、カメラ本体１から離れる側）の制御基板２２上に配置されている。そのため、操作ノブ６の回転位置に依らずアンテナの指向性を一定に維持することが可能で、良好な通信状態を維持することができる。また、アンテナ２４は、非金属材料（例えば、樹脂材料）からなるグリップ７でカバーされているため、電波は遮蔽されず無線通信に影響を与えることなく、機械的に保護されている。制御基板２２とアンテナ２４により無線通信手段が構成される。
【００２１】
無線通信がされているときにはＬＥＤ２５が点灯し、非金属グリップ７に形成されたＬＥＤ窓７ａを介して、オペレータは外部からそれを確認することができる。
【００２２】
カメラ接続コネクター２６は、カメラ本体１と接続し、電源の供給と従来のアナログ制御信号の通信を行うこともできる。
【００２３】
フォーカス操作部固定台２のカメラ本体１側には遮へい板４が固定され、カメラ本体１とフォーカスコントローラーの間を遮蔽している。これにより、フォーカス制御のための無線通信の電波に起因するノイズがカメラ装置の制御において発生して悪影響を及ぼすことを防止している。
【００２４】
上記構成において、切替スイッチ（不図示）等によってフォーカス制御を無線通信モードに切り替えると、グリップ７を備える操作ノブ６の回転は、アイドラギア２１を介してエンコーダー１４に伝達される。それにより、フォーカス回転位置信号として操作ノブ６の回転角が検出され、エンコーダー１４から制御基盤２２に出力される。送出されたフォーカス回転位置信号は、アンテナ２４よりレンズ装置内の無線受信部（不図示）へ送信され、フォーカスが駆動される。
【００２５】
本実施形態によれば、カメラ装置内部及び／又は外部を経由した配線を経由してカメラ装置とレンズ装置がアナログ信号の通信を行なう、テレビ撮影等に使用される撮影装置において、フォーカス操作部を無線通信することができる本発明のフォーカスコントローラーとすることにより、カメラ装置の構成を大幅に改造することなく、また、操作性を損なうことなく、カメラ装置外部に無線アンテナを設置する必要のないコンパクトなフォーカスコントローラーを提供することができる。
【００２６】
さらに、本発明のフォーカスコントローラーをデジタル方式の無線通信とすることにより、アナログの通信方式に対し、ノイズに強く、より安定した制御通信を実現することができる。
【００２７】
本発明の特徴は、デジタル無線通信することができるフォーカスコントローラーにおいて、特に顕著な効果を奏するが、本発明はこれに限定されるものではなく、デジタル無線通信のみに限らず、アナログ無線通信においても同様に適用できる。
【実施例２】
【００２８】
以下、図２、３を参照して、本発明の第２の実施例による、有効なアンテナを切替える切替機構を含む無線通信ユニットが内蔵されたフォーカスコントローラーについて説明する。尚、実施例１にて説明した符号に関しては説明を省略する。
【００２９】
本実施例のフォーカスコントローラーにおいては、エンコーダー１４と操作ノブ６は連結軸２７によって同軸で連結されている。エンコーダー１４と連結軸２７はセットビス２８で、操作ノブ６と連結軸２７は固定キー２９で、それぞれ固定されている。
【００３０】
非金属材料であるアンテナカバー３１でカバーされた複数のアンテナ３０が、操作ノブ６（操作手段）の回転軸を中心としてグリップ７に、回転方向において略等間隔で取り付けられている。従って、本実施例においては、複数のアンテナ３０は、操作ノブ６（操作手段）の回転と共にフォーカス操作部固定台２に対して回転する構成を有する。本実施例の構成においても実施例１と同様に、操作ノブ６の回転軸は、撮影装置の光軸を含む平面に対して垂直となるように、フォーカスコントローラーのフォーカス操作部固定台２がカメラ装置４１の側部に固定されている。
【００３１】
エンコーダー１４とカメラ接続コネクター２６に接続されたスリップリング３４がフォーカス操作部固定台２に取り付けられている。スリップリング３４は、アンテナ３０が独立に接続され操作ノブ６に固定されたブラシ３３と接触する接点３４ａ、制御基板２２に接続され操作ノブ６に固定されたブラシ３２と接触する接点３４ｂ、から構成される。
【００３２】
図３に示すように、制御基板２２に接続する接点３４ｂは、操作ノブ６の回転角に依らず、操作ノブ６に固定されたブラシ３２と接触する。一方、アンテナ３０に接続するブラシ３３と接触する接点３４ａは、レンズ装置に安定して電波を送受信できる角度の範囲αにのみ限定して設置されている。本実施例の、無線通信に有効なアンテナを切替える切替機構は、スリップリング３４（接点３４ａ）、接点３３から構成される。
【００３３】
無線通信がされているときにはＬＥＤ２５が点灯し、非金属グリップ７に形成されたＬＥＤ窓７ａを介して、オペレータは外部からそれを確認することができる。ＬＥＤ窓７ａには、外観を改善するための目隠し板３５が接着されている。
【００３４】
上記構成において、操作ノブ６（操作手段）を回転させると、操作ノブ６に固定された制御基板２２とグリップ７に固定されたアンテナ３０も一緒に回転する。すなわち、ブラシ３２およびブラシ３３はスリップリング３４に接触しながら回転する。図３に示す矢印の方向に操作ノブ６が回転しているとき、アンテナ３０のブラシ３３と接点３４ａとの接触がなくなって無線通信が遮断しないように、必ず、少なくとも１つの接点３３が接点３４ａと接触しているようにする必要がある。このため、接点３４ａが設置されている操作ノブ６の回転方向の回転角度の範囲は、アンテナ３０が設置されている角度間隔よりも、大きくなるように構成されている。また、接点３４ａが配置される回転角度の範囲と位置は、良好な無線通信状態を維持するために、アンテナ３０の指向性と無線通信するレンズ装置の通信装置の位置を考慮して設定される。この構成により、操作ノブ６がどのような回転角度であっても、常に操作手段に設置されたアンテナ３０と無線通信ユニットとの接続を維持することができる。また、無線ユニットと接続して無線通信に有効となるアンテナ３０の、操作ノブ６の回転方向における位置を、所定の範囲内とすることができ、良好な無線通信状態を維持することができる。本実施例においては、操作ノブ６の回転位置に依存して、通信に有効となる（接点３４ａとブラシ３３が接触している）アンテナ３０の位置は所定の回転角度の範囲内において変化し、また、有効となるアンテナ３０の本数も１本と２本との間で変化する。これにより無線通信の条件は多少変化するが、特にデジタル方式の無線通信を採用することにより、通信精度への影響を無視出来るほどに小さくすることができる。
【００３５】
また、本実施例においては、操作ノブ６の回転角の所定の範囲においてのみ、アンテナ３０のブラシ３３とスリップリング３４の接点３４ａを機械的に接触させている。この構成によって、操作ノブの回転角に依存せず所定の方向にアンテナの指向性を維持できるような切り替え機構を有する構成としたが、本発明はこれに限定されることはない。例えば、操作ノブ６の回転角に基づいて、複数のアンテナの内、有効にするアンテナを切り替える制御をするように構成しても、同様の効果を得ることができる。
【実施例３】
【００３６】
以下、図４（ａ），（ｂ）を参照して、本発明の第３の実施例による、無線通信ユニットが内蔵されたフォーカスコントローラーについて説明する。
【００３７】
本実施例の構成においても実施例１及び２と同様に、操作ノブ６の回転軸は、撮影装置の光軸を含む平面に対して垂直となるように、フォーカスコントローラーのフォーカス操作部固定台２がカメラ装置４１の側部に固定されている。
本実施例においては、アンテナ３６は、フォーカス操作部固定台２に固定されており、レンズ装置と安定して無線通信できる操作ノブ６の回転方向の所定の角度範囲αに設置されている（図４（ａ）、及び図４（ａ）のＢ−Ｂ断面図である図４（ｂ）参照）。角度範囲αは、アンテナ３６の指向性と、無線通信するレンズ装置の通信装置の位置を考慮して設定される。アンテナ３６は、通信を阻害しない非金属材料のアンテナカバー３７でカバーされ、機械的に保護されている。本実施例の構成においては、操作ノブ６は、機械的にエンコーダー１４の回転軸を回転させるという機械的な相互関係は有するのもの、非回転部側との電気的な接点は有さない。
その他の符号に関しては、実施例１、２と同様であるので説明は省略する。
【００３８】
上記構成において、グリップ７で覆われた操作ノブ６がどのような回転角度であっても、フォーカス操作部固定台２に固定されたアンテナ３６は回転しないので、無線通信に対するアンテナの指向性の条件を変えることなく、良好な無線通信状態を維持することができる。
本実施例によれば、実施例１と同様の効果を享受することができる。
【実施例４】
【００３９】
以下、図５を参照して、本発明の第４の実施例によるフォーカスコントローラーについて説明する。
【００４０】
本実施例のフォーカスコントローラーは、オートフォーカススイッチを有するものであり、具体的には、フォーカス操作部固定台２に取り付けられているオートフォーカスによるフォーカス調整の有効／無効を切り替えるＯＮ／ＯＦＦ機能スイッチ３８を有する。
その他の構成に関しては、第１の実施例と同様であるので説明は省略する。
【００４１】
本実施例の構成において、無線通信によってフォーカスに関する制御信号を通信している無線モードの状態において、オートフォーカスのＯＮ／ＯＦＦ機能スイッチ３８を押すことで、制御基板２２を介してアンテナ２４よりレンズ装置側の受信部に対しオートフォーカスの有効／無効を切り替える信号が送出され、レンズ装置では該信号に応じフォーカス機能が切り替えられる。
【００４２】
本実施例では、オートフォーカスによるフォーカス調整の有効／無効を切り替えるＯＮ／ＯＦＦ機能スイッチ３８を例示して記載したが、本発明はこれに限定されることはない。防振機能のＯＮ／ＯＦＦスイッチや、その他あらゆる機能のＯＮ／ＯＦＦを切り替えるスイッチに適用することが可能である。
【００４３】
本実施例によれば、カメラ操作者の操作性に影響を与えることなく、既存のカメラ装置に大きな改造を加えることを必要とせず、良好な操作性のもとで、マニュアルフォーカス操作を高精度の信号授受が可能なデジタル無線通信で実現することを可能ならしめ、オートフォーカス機能を使用する場合にも、レンズ装置に必要な制御情報を無線通信することができる、コンパクトなフォーカスコントローラーを提供することができる。
【００４４】
また、上記の実施例においては、操作ノブの回転位置情報によってフォーカスの駆動を制御する場合を例示したが、無線通信手段であるアンテナからは指令の送信だけでなく、指令に対するアンサー情報等の制御情報の受信についても同様に用いることができる。さらに、フォーカスの駆動に関する指令情報の通信について本発明を適用する事例を説明したが、本発明はこれに限定されることはなく、レンズ装置のフォーカスユニット以外の可動光学ユニット（ズームユニット、絞り等）の操作に適用し、同様の効果を得ることもできる。
【００４５】
以上、本発明の好ましい実施形態について説明したが、本発明はこれらの実施形態に限定されず、その要旨の範囲内で種々の変形及び変更が可能である。
【符号の説明】
【００４６】
１  カメラ本体
２  フォーカス操作部固定台（固定部）
６  操作ノブ（操作手段）
１４  エンコーダー（回転位置検出手段）
２２  制御基板（無線通信手段）
２４，３０，３６  アンテナ（無線通信手段）
４０  レンズ装置
４１  カメラ装置
【図１】
2013222176.tif 000003
【図２】
2013222176.tif 000004
【図３】
2013222176.tif 000005
【図４】
2013222176.tif 000006
【図５】
2013222176.tif 000007
【図６】
2013222176.tif 000008